(57)【特許請求の範囲】
【請求項１】
バックライトを要する液晶表示装置と、該液晶表示装置のおもて面と対向するように配設された透明な表示窓と、光を発する光源と、該光源の光を前記液晶表示装置のバックライトとして導く第１導光板と、前記光源の光を前記表示窓へ導く第２導光板を備えたことを特徴とする電子機器。
【請求項２】
前記液晶表示装置は半透過式液晶であり、前記第２導光板は前記液晶表示装置のおもて面にも前記光源の光を導くことを特徴とする請求項１に記載の電子機器。
【請求項３】
着信に応答して前記光源の発光を制御する制御手段を備えたことを特徴とする請求項１に記載の電子機器。
【請求項４】
前記制御手段は、着信時に前記光源が異なる色の光を消えることなく交互に発光するように制御することを特徴とする請求項３に記載の電子機器。
【発明の詳細な説明】
【０００１】
【産業上の利用分野】
本発明は電子機器に関する。
【０００２】
【従来の技術】
電子機器（例えば、電話装置）の一つに携帯電話装置がある。
【０００３】
図７は、従来の携帯電話装置の正面図である。
【０００４】
図７に示す電話装置は、テンキー６１０と、例えば液晶表示装置からなる表示部６２０と、例えばＬＥＤ（Ｌｉｇｈｔ  Ｅｍｉｔｔｉｎｇ  Ｄｉｏｄｅ）からなる着信ランプ６３０と、スピーカ６４０とを有しており、上記表示部６２０には、筐体内部に設けられたバックライト（図示せず）からの光が照射され、この光の照射によりユーザが表示部６２０の表示を見ることができる。
【０００５】
着信時には、上記着信ランプ６３０を点滅させることによりユーザに着信を報知すると共に上記表示部６２０のバックライトを点灯させ、表示部６２０に相手先の電話番号を表示させることにより、ユーザにだれからの着信であるかを報知する。
【０００６】
一方、上記着信ランプ６３０は、一般的には、着信音をスピーカ６４０から送出するタイミングと同期して点滅する動作を行う。このように着信ランプ６３０を点滅させるのは、着信ランプ６３０が常時同じ色で点灯するよりも点滅したほうが、ユーザが光の変化をより感知でき、より着信を認識し易いからである。
【０００７】
【発明が解決しようとする課題】
表示部のバックライトでは、約２ｍＷ〜５ｍＷの電力が消費される為、消費電力を押さえるという観点からバックライトは可能な限り消灯していることが好ましい。
【０００８】
この為、着信時においてバックライトは点灯させない構成とすることが容易に考えられるが、着信時にバックライトを点灯させない構成にすると夜間の着信時にはユーザが表示部の表示を見ることができない為、ユーザが着信時にだれからの着信であるかを知ることができない。
【０００９】
バックライトの消費電力を押さえる為にバックライトを点滅動作させることも考えられるが、ユーザはバックライトが光っている間しか表示されている電話番号を認識することができない為、非常に使いづらい。
【００１０】
【課題を解決するための手段】
本発明は、このような課題に鑑みてなされたもので、請求項１記載の電子機器は、バックライトを要する液晶表示装置と、該液晶表示装置のおもて面と対向するように配設された透明な表示窓と、光を発する光源と、該光源の光を前記液晶表示装置のバックライトとして導く第１導光板と、前記光源の光を前記表示窓へ導く第２導光板を備えたことを特徴とする。
【００１１】
請求項２記載の電子機器は、前記液晶表示装置は半透過式液晶であり、前記第２導光板は前記液晶表示装置のおもて面にも前記光源の光を導くことを特徴とする。
【００１２】
請求項３記載の電子機器は、着信に応答して前記光源の発光を制御する制御手段を備えたことを特徴とする。
【００１３】
請求項４記載の電子機器は、着信時に前記光源が異なる色の光を消えることなく交互に発光するように制御することを特徴とする。
【００１５】
【発明の実施の形態】
以下、本実施例装置について説明する。
【００１６】
図１は本発明を適用してなる電子機器（例えば２つ折の携帯電話装置）である第１実施例装置の斜視図を示しており、図２は図１に示す筐体を背面から見た斜視図を示している。図１及び図２中の電話装置は、テンキーや通話キーからなる入力部１１０を有する第１の筐体１００と、電話番号入力時に押下されたテンキーに対応する番号を表示する第１の表示部２１０と着信時に発呼側の電話番号を表示する第２の表示部２２４とスピーカ２３０とを有する第２の筐体２００と、上記第１の筐体１００と第２の筐体２００とを連結するヒンジ部３００とからなる。
【００１７】
図３は、図２に示す電話装置の第２表示部２２４部分の断面図である。
【００１８】
筐体内部のプリント基板２２１上には、図３中左側から、ＲＧＢ（Ｒｅｄ、Ｇｒｅｅｎ、Ｂｌｕｅ）３色の発光領域を内部に有する多色発光可能なＬＥＤ２２２が配置され、図２中略中央の基板上に第１導光板２２３、例えば、半透過性の液晶表示装置からなる第２表示部２２４、第２導光板２２５が順に配置された構造である。
【００１９】
又、上記第２導光板２２５上方（図２中において）には、例えばアクリルからなる透明な表示窓２２６が配置されている。
【００２０】
上記第１導光板２２３は例えばアクリルからなり、上記ＬＥＤ２２２からの光を第２表示部２２４まで導き第２表示部２２４裏面側から第２表示部２２４全体に光を照射する。上記第２導光板２２５も例えばアクリルからなり、ＬＥＤ２２２からの光を上記表示窓２２６まで導き、表示窓２２６全体に光を照射する。
【００２１】
第２表示部２２４はドライバＩＣ２２７を搭載したフレキシブルプリント基板２２８を介してプリント基板２２１上のコネクタ２２９と接続されており、図示せぬ制御部からの制御により上記ドライバＩＣ２２７が駆動され、第２表示部２２４上に文字を表示させることが可能である。
【００２２】
図４は、本実施例装置のブロック図を示している。
【００２３】
尚、図４に示す構成と、図１〜図３に示す構成において、同一部分には同一の図番を付している。
【００２４】
図４において、送受信部４００は送受信信号の変復調や着信検出、発呼側の電話番号検出等を行う。入力部１１０は、テンキーや通話キー、切キー等からなる。第１表示部２１０は、ドライバＩＣ４１０からの駆動信号により駆動され、発呼時のテンキー押下に応じて数字を表示することが可能である。
【００２５】
第２表示部２２４は、ドライバＩＣ２２７からの駆動信号により駆動され、着信時に送受信部４００が検出した発呼側の電話番号を表示する。
【００２６】
ＬＥＤ２２２は赤、緑、青の三色の発光領域を有しており、多色発光が可能である。ＬＥＤ制御部４３０は上記ＬＥＤ２２２を駆動する。
【００２７】
制御部４４０は、これら各回路の制御を司るメインＣＰＵである。
【００２８】
次に第１実施例装置の動作について図３、図４を用いて説明する。
【００２９】
制御部４４０が送受信部４００から着信有りを示す信号を検出すると、送受信部４００から発呼側の電話番号を読み込み、ドライバＩＣ２２７を制御することにより、第２表示部２２４に発呼側電話番号を表示させる。
【００３０】
又、制御部４４０はＬＥＤ制御部４３０に制御信号を送信し、ＬＥＤ制御部４３０が上記制御信号に応じて赤色と白色の光が交互に点灯するようＬＥＤ２２２を駆動する（図４参照）。
【００３１】
ＬＥＤ２２２の赤色点灯時には、ＬＥＤ２２２からの光が、第２導光板２２５に導かれ表示窓２２６全体を赤く点灯すると共に第１導光板２２３に導かれ第２表示部２２４全体を赤く点灯する。
【００３２】
一方、ＬＥＤ２２２の白色点灯時には、同様にして、表示窓２２６全体と第２表示部２２４表面全体が白く点灯する（図３参照）。
【００３３】
このように表示窓２２６の赤白点滅によりユーザは着信を認識し、第２表示部２２４の発呼側番号表示により発呼側がだれであるかを知ることができる。
【００３４】
以上説明したように、第１実施例の電子機器（電話装置）は、着信時にＬＥＤ２２２からの光を導光板２２３、２２５を介して表示窓２２６全体と第２表示部２２４全体に照射させる為に、ＬＥＤ２２が、表示窓２２６の光源と第２表示部２２４のバックライトを兼用することになる。
【００３５】
次に本発明を適用してなる第２実施例について以下に説明する。
【００３６】
第１実施例と第２実施例との違いは、第１実施例では、ＬＥＤ２２２からの光が第２導光板２２５を介して表示窓２２６に照射されると共に第１導光板２２３を介して第２表示部２２４に照射される構成にしたが、第２実施例では、第２導光板２２５がなく、ＬＥＤ２２２からの光を着信ランプ窓２４０と第１導光板２２３へ送出する構成にすると共に表示窓２５０の表面積を略第２表示部２２４の表面積と同一とした。
【００３７】
図５は、第２実施例装置の斜視図である。
【００３８】
図５において、第２筐体２００の背面側には、着信時に発呼側電話番号を表示する第２表示部２２４が配置され、該第２表示部２２４上方には着信ランプ窓２４０が配置されている。
【００３９】
図６は、図５に示す電話装置の要部断面図である。
【００４０】
図６に示す電話装置は、図６中左側には、プリント基板２２１上にＬＥＤ２２２が配され、上記ＬＥＤ２２２上方の筐体部分には、着信ランプ窓２４０が形成されている。又、図５中略中央のプリント基板２２１上には、第１導光板２２３、例えば半透過性の液晶表示器からなる第２表示部２２４が順に配されている。又、上記第２表示部２２４上の筐体部分には、例えばアクリルからなる表示窓２５０が嵌め込まれており、ユーザが上記第２表示部２２４の表示を筐体外部から見えるようになっている。
【００４１】
尚、第２実施例の回路構成は、第１実施例と同じく図４に示す構成である。
【００４２】
次に、動作について説明する。
【００４３】
制御部４４０が送受信部４００から着信有りを示す信号を検出すると、送受信部４００から発呼側の電話番号を読み込み、ドライバＩＣ２２７を制御することにより、第２表示部２２４に発呼側電話番号を表示させる。
【００４４】
又、制御部４４０はＬＥＤ制御部４３０に制御信号を送信し、ＬＥＤ制御部４３０が上記制御信号に応じて赤色と白色の光が交互に点灯するようＬＥＤ２２２を駆動する（図４参照）。
【００４５】
ＬＥＤ２２２の赤色点灯時には、ＬＥＤ２２２からの光が、着信ランプ窓２４０から筐体外部の放出されると共に第１導光板２２３に導かれ第２表示部２２４全体を赤く点灯する。
【００４６】
一方、ＬＥＤ２２２の白色点灯時には、同様にして、着信ランプ窓２４０と第２表示部２２４全体が白く点灯する。
【００４７】
このように第２実施例の電子機器（電話装置）は、ＬＥＤ２２２からの光を導光板２２３を介して第２表示部２２４全体に照射させると共に着信ランプ窓２４０から外部に光を放出する為に、ＬＥＤ２２２が着信ランプ用の光源と第２表示部２２４のバックライトを兼用している。
【００４８】
以上説明したように、本実施例装置は、着信時にＬＥＤ２２２が赤色と白色の光を交互に点灯しており、光の点滅動作時のように光が消えることがない為、ユーザが第２表示部２２４に表示されている文字や数字を認識することが可能である。
【００４９】
又、着信時にはＬＥＤ２２２の発光色が交互に変化する為、ユーザは発光色の変化により着信を容易に認識することができる。
【００５０】
尚、本実施例では、ＬＥＤ２２２の発光を赤色光と白色光の交互発光としたが、異なる色を交互に発光させるのであれば、発光色はこの限りではない。
【００５１】
又、本実施例では、２つ折の携帯電話装置について実施したが、ストレートタイプの電話装置に本発明を適用して実施しても良い。
【００５２】
更に、本実施例では、着信ランプ用のＬＥＤとＬＣＤを有する電話装置について実施したが、電源ランプと表示部を有する電子機器や、或る機能の動作を示すランプと表示部を有する電子機器等、表示に光の照射を必要とする表示器を有する電子機器にも本発明を適用し実施することも可能である。
【００５３】
第２実施例では、バックライトを使用した実施例であるが、フロントライトを使用して本発明を適用しても良い。
【００５４】
【発明の効果】
本発明の電子機器は、ユーザが電子機器の動作状態（例えば、着信）を容易に認識することができると共に第２表示部２２４に何が表示されているかを認識することができ、バックライトのコストを削減することができる。
【図面の簡単な説明】
【図１】本発明を適用してなる第１実施例装置の斜視図である。
【図２】本発明を適用してなる第１実施例装置の斜視図である。
【図３】図２の第２表示部２２４の断面図である。
【図４】本実施例装置のブロック図である。
【図５】第２実施例装置の斜視図である。
【図６】図５に示す第２表示部２２４部分の断面図である。
【図７】従来の電話装置を示す図である。
【符号の説明】
２２２  ＬＥＤ
２２３  第１導光板
２２４  第２表示部
２２５  第２導光板
２２６  表示窓
２２７  ドライバＩＣ
２４０  着信表示窓
４３０  三色ＬＥＤ制御部
【図１】
0003594560.tif 000002
【図２】
0003594560.tif 000003
【図３】
0003594560.tif 000004
【図４】
0003594560.tif 000005
【図５】
0003594560.tif 000006
【図６】
0003594560.tif 000007
【図７】
0003594560.tif 000008